(57)【要約】【課題】ごみの移動作業を簡単に行える昇降機能付き車両搭載の容器における蓋の開閉構造を開発する。【解決手段】有底で上部を開放し、前面に蓋部２を有する容器本体１を設け、該容器本体１の底に運搬用車両Ｘに搭載する搭載用ボックス１ｄ備えた容器本体１に、容器本体１の、底部１ｉは，後部より蓋２方向に下降傾斜面に形成し、蓋は、容器本体１の前上部に蓋軸受１ｃを回転可能に軸着し、蓋バランスウェート２ａ、と前部に蓋２を設けて、ごみＡの回収時には、容器本体１にフックレバーにより閉塞しておき、ごみの排出操作によって、フック掛軸部が開放され蓋２の蓋部バランスウェート２ａより、蓋２は開口して、ごみの容器Ｙに排出し、ごみを排出後には、容器本体１を下降することにより蓋２はリンクアーム４と連結したリンクステアリングバー４の下部のキャスター４ｃが接地し、さらに、容器本体１も着地し、該蓋２も閉塞する、あるいは蓋２を押し圧し閉塞する。【選択図】図４
2017100877.tif 000002
【特許請求の範囲】
【請求項１】
昇降機能を有する運搬用車両（Ｘ）に搭載する、ごみ（Ａ）回収用の容器本体（１）であって、容器有底で上部を開放し、前面に蓋（２）を有する容器本体（１）を設け、該容器本体（１）は下部に運搬用車両（Ｘ）に搭載用ボックス（１ｄ）を備え、該容器本体（１）の容器底部（１ｉ）には、後部より前部に位置する該蓋（２）の方向に向かって下降する傾斜面に形成し、該蓋（２）と蓋バランスウェート（２ａ）は蓋軸（２ｂ）に接合して、は該蓋軸受台（１ｃ）に回転可能に軸着し、ごみ（Ａ）の回収時には、前記蓋（２）は該容器本体（１）にフックレバー（３）のフック係部（３ａ）により、該蓋（２）下部のローラー（２ｅ）を係止して、閉塞しておき、ごみ（Ａ）の開放時には、前記フックレバー（３）後部のグリップエンド（３ｂ）付近をロープ（６）等で下方向へ引き、該フック係部（３ａ）から、フック掛軸部（２ｄ）の該ローラー（２ｅ）を係止した状態から開放することによって、該蓋軸（２ｂ）を軸芯として、該蓋（２）が開き、ごみ（Ａ）を車両の荷台、あるいは、受け入れ容器（Ｙ）に排出する、また、ごみ（Ａ）の排出後は、該蓋（２）を前方から後部方向に押し圧することにより、該フック掛軸（２ｄ）部の該ローラー（２ｅ）は該フックレバー（３）の該フック係部（３ａ）に係止されて、閉塞することを特徴とする、昇降機能付き車両搭載用の容器における蓋の開閉構造。
【請求項２】
昇降機能を有する運搬用車両（Ｘ）に搭載する、ごみ（Ａ）回収用の前記容器本体（１）であって、有底で上部を開放し、前面に前記蓋部（２）を有する該容器本体（１）を設け、該容器本体（１）の下部に運搬用車両（Ｘ）に該搭載用ボックス（１ｄ）を設け、該容器本体（１）の該容器底部（１ｉ）には、後部より前部に位置する該蓋部（２）方向に向かって下降する傾斜面に形成し、さらに、該容器本体（１）の前面の両側部に取り付けられた該蓋軸受台（１ｃ）へ回転可能に該蓋軸（２ｂ）を取付け、該蓋軸（２ｂ）には該蓋（２）と後方に該蓋バランスウェート（２ａ）と、リンクアーム（４ａ）、さらに、リンク軸（４ｂ）で連結された、先端にキャスター（４ｃ）を有するリンクステアリングバー（４）が、それぞれ、可動可能に軸支されて、ごみ（Ａ）の回収時には、前記、蓋（２）は該容器本体（１）に該フックレバー（３）の該フック係部（３ａ）により、該蓋（２）下部の該ローラー（２ｅ）を係止して、閉塞しておき、ごみ（Ａ）の開放時には、前記フックレバー（３）の該グリップエンド（３ｂ）付近を該ロープ（６）等で下方へ引き、該フックレバー（３）の該フック係部（３ａ）から該フック掛軸（２ｄ）部の該ローラー（２ｅ）を開放することにより、該蓋（２）を開口して、ごみ（Ａ）を車両の荷台あるいは受け入れ容器（Ｙ）に排出する、ごみ（Ａ）の排出後は、該容器本体（１）を下降することにより、キャスター（４ｃ）が地面に当接し、さらに下降することにより、先端に該キャスター（４ｃ）を有する該リンクステアリングバー（４）と該リンクアーム（４ａ）が連動し、該蓋（２）は、該蓋軸（２ｂ）を軸心として回転し、該蓋（２）は閉まり、該容器本体（１）も着地し、該フック掛軸（２ｄ）部の該ローラー（２ｅ）は、該フックレバー（３）のフック係部（３ａ）に係止されて、閉塞することを特徴とする、請求項１に記載の昇降機能付き車両搭載用の容器における蓋の開閉構造。
【請求項３】
前記容器本体（１）下部の該フックレバー（３）はフック部軸（１ｆ）に回転可能に軸支された、該フックレバー（３）、あるいは、連結軸（３ｄ）部の下方にフック部ウェート（３ｃ）を設けて該フックレバー（３）の傾きを保ち、該容器本体（１）を前方向に傾けることにより、該フックレバー（３）の該フック係部（３ｂ）から、該蓋（２）の該フック軸台（２ｃ）部の該フック掛軸（２ｄ）部の該ローラー（２ｅ）から外れて、該蓋（２）を開口する方法を特徴とする、請求項１又に記載の昇降機能付き車両搭載用の容器における蓋の開閉構造。
【請求項４】
前記容器本体（１）の前部に位置する蓋軸受台（１ｃ）に回転可能な蓋軸（２ｂ）に蓋（２）と、蓋バランスウェート（２ａ）を取り付けられた容器本体（１）で、蓋のバランスウェート（２ａ）は容器本体（１）の内側、あるいは、外側に取り付けた、蓋バランスウエイト（２ａ）等の重量によるバランスで、フックレバー（３）のフック係部（３ａ）からフック掛軸（２ｄ）部のローラー（２ｅ）を開放することによって、蓋（２）を開口することを特徴とする、請求項１〜請求項３のいずれか１項に記載の昇降機能付き車両搭載構造の容器における蓋の開閉構造。
【請求項５】
前記容器本体（１）の前部に有する該蓋軸受台（１ｃ）に回転可能な該蓋軸（２ｂ）に取り付けた該リンクアーム（４ａ）の先端と該容器本体（１）に取り付けたバネ受台（１ｈ）間に引っ張りバネ（５）を取り付けた、該引っ張りバネ（５）による、該蓋（２）を開口することを特徴とする、請求項１〜請求項４のいずれか１項に記載に記載の昇降機能付き車両搭載構造の容器における蓋の開閉構造。
【発明の詳細な説明】
【技術分野】
【０００１】  この発明は、昇降機能付き車両搭載用の容器における蓋の開閉構造に関するものであり、特に、フォークリフトに搭載したゴミ回収用容器蓋の開閉構造に関する。
【背景技術】
【０００２】  従来、空き缶や、複数の空き缶を収納した袋等のごみ収集運搬車等による積み込み作業は、回収したごみを運搬車の荷台の箱上まで持ち上げ、作業員が回収したごみを運搬して車両の荷台に上がり、該作業員により箱の蓋を開けてごみを取り出しているものもある。【０００３】  また、空き缶や収納した袋を回収容器に入れて複数個の回収容器を収集運搬車に積み込み搬送しているが、収集運搬車の荷台容積には限りあり、回収容器のスペースと重量による運搬方法はごみの運送効率が悪かった。【０００４】  それに、従来の、回収容器をフォークリフトで吊り上げる構造のものは存在するが、容器本体は底部が開き、この開いた箇所からごみを落下させる構造となっており、フォークリフトを使用する場合、フォークリフトのフォークを差し込む穴部は必然的に容器本体の上部に形成しなければならず、容器の高さによってはフォークリフトの昇降可能な長さは限定されるため、高い場所に位置する受け入れ容器まで届かないものであった。【０００５】  さらに、回収容器は、前面の蓋を開く構造も存在するが、フォークリフトで上昇させて受け入れ容器の上での蓋の開きが悪くごみは容器から出にくいために、回収容器本体を強く上下、前後に強く揺さぶり、ごみの自重を利用しながら蓋を開口し、投下しているために時間を必要とし、またごみも受け入れ容器の外に一部飛び出すこともあり、それに、回収容器の破損やフォークリフトも破損することがある。
【先行技術文献】
【特許文献】
【０００６】
【特許文献１】  特開２０１３−１８４７８２号公報
【特許文献２】  特開２０１４−９０３８号公報
【発明の概要】
【発明が解決しようとする課題】
【０００７】  そこで、この発明の課題は、蓋の開口を簡単な操作で確実に大きく開口してごみを短時間で投下排出し、ごみの受け入れ容器外への飛び出しや容器本体等の破損を無くし、また、特許文献１、特許文献２は、蓋の開口投入は良いが、構造が外枠体と容器本体が別々の二重構造のため複雑で材料部品点数も多く、また、重量も重くなり、製作コスト高であることを解消し、蓋の閉塞構造を開発することにある。
【課題を解決するための手段】
【０００８】  本発明は、上記課題を解決するために、以下の構成を有する。
（１）昇降機能を有する車両Ｘに搭載する、ごみＡ回収用の容器本体１であって、容器有底で上部を開放し、前面に蓋２を有する容器本体１を設け、該容器本体１は下部に運搬用車両Ｘに搭載用ボックス１ｄを備え、該容器本体１の容器底部１ｉには後部より前部に位置する蓋２の方向に向かって下降する傾斜面に形成し、該蓋２と蓋バランスウエイト２ａは蓋軸２ｂに接合して、蓋軸受１ｃは蓋軸受台１ｃに回転可能に軸着し、ごみＡの回収時には、前記蓋２は容器本体１にフックレバー３のフック係部３ａにより、該蓋２下部のローラ２ｅを係止して、閉塞しておき、ごみＡの開放時には、前記フックレバー３後部のグリップエンド３ｂ付近をロープ６等で下方向へ引き、フック係部３ａから、フック掛軸部２ｄのローラー２ｅを係止した状態から開放することによって、蓋軸２ｂ軸芯として、蓋２が開き、ごみＡを車両の荷台あるいは、受け入れ容器Ｙに排出する、また、ごみＡの排出後は、蓋２］レバー３のフック係部３ａに係止されて、閉塞することを特徴とする、昇降機能付き車両搭載の容器における蓋の開閉構造である。【０００９】  （２）昇降機能を有する運搬用車両Ｘに搭載する、ごみＡ回収用の前記容器本体１であって、有底で上部を開放し、前面に前記蓋２を有する容器本体１を設け、該容器本体１の下部に運搬用車両Ｘに搭載用ボックス１ｄを設け、該容器本体１の容器底部１ｉは、後部より前部に位置する蓋部２方向に向かって下降する傾斜面に形成し、さらに容器本体１の前面の両側部に取り付けられた蓋軸受台１ｃへ回転可能に蓋軸２ｂを取付け、該蓋軸２ｂには蓋２と後方に蓋バランスウェート２ａと、リンクアーム４ａ、さらに、リンク軸４ｂで連結された、先端にキャスター（４ｃ）を有するステアリングバー４が、それぞれ、可動可能に軸支されて、ごみＡの回収時には、前記、蓋２は容器本体１にフックレバー３のフック係り部３ａにより、該蓋２下部のローラー２ｅを係止して、閉塞しておき、ごみＡの開放時には、前記フックレバー３のグリップエンド３ｂ付近をロープ６等で下方向へ引き、フックレバー３のフック係部３ａからフック掛軸２ｄ部のローラー２ｅを開放することにより、蓋２を開口して、ごみＡを車両の荷台あるいは受け入れ容器Ｙに排出する、ごみＡの排出後は、該容器本体１を下降すことにより、キャスター４ｃが地面に当接し、さらに下降することにより、先端にキャスター４ｃを有するリンクステアリングバー４とリンクアーム４ａが連動し、蓋２は、蓋軸２ｂを軸芯として回転し、該蓋２は閉まり、容器本体１も着地し、フック掛軸２ｄ部のローラー２ｅは、フックレバー３のフック係部３ａに係止されて、閉塞することを特徴とする、昇降機能付き車両搭載用の容器における蓋の開閉構造である。【００１０】  （３）前記容器本体１下部の該フックレバー３はフック部軸１ｆに回転可能に軸支された、フッレバー３、あるいは、連結軸３ｄ部の下方にフックバ部ウェート３ｃを設けてフックレバーの傾きを保ち、該容器本体１を前方向に傾けることにより、フックレバー３のフックレバーのフック係部３ａから蓋２のフック軸台２ｃ部のフック掛軸２ｄ部のローラー２ｅから外れて、該蓋２を開口する方法特徴とする、（１）又は（２）に記載の昇降��能付き車両の容器における蓋の開閉構造である。【００１１】  （４）前記容器本体１の前部に位置する蓋軸受台１ｃに回転可能な蓋軸２ｂに蓋２と蓋バランスウェート２ａを取り付けられた容器本体１で、蓋のバランスウェート２ａは容器本体１の内側、あるいは、外側に取り付けた、蓋バランスウェート２ａ等の重量によるバランスで、フックレバー３のフック係り部３ａからフック掛軸２ｄ部のローラー２ｅを開放することによって、蓋２を開口することを特徴とする、（１）〜（３）のいずれか１項に記載の昇降機能付き車両搭載構造の容器における蓋の開閉構造である。【００１２】  （５）前記容器本体１の前部に有する該蓋軸受台１ｃに回転可能な蓋軸２ｂに取り付けたリンクアーム４ａの先端と、容器本体１に取り付けられた該バネ台１ｈ間に引っ張りバネ５を取り付けた、該引っ張りバネ５による、蓋２を開口することを特徴とする（１）〜（４）に記載の昇降機能付き車両搭載構造の容器における蓋の開閉構造である。
【発明の効果】
【００１３】  この発明は、容器本体１の下部にフック部軸固定台１ｅが取付けられ、フック部軸１ｆに軸支し、フックレバー３を回転可能に取り付け、該フックレバー３のグリップエンド３ｂ付近に設けたロープ６または、引掛棒６ａで下方向に引き、フックレバー３の回転動作により、また、蓋２の下部に取り付けられた、フック掛軸２ｄ部にはフック係部２から容易に外れるように、摩擦抵抗少ない、開放容易なベアリング等よるローラー２ｅを取り付けた、フック係部３ａから外れて、蓋２は、蓋バランスウェート２ａの重さにより、蓋軸２ｂを軸芯として、蓋バランスウェート２ａの重さにより、ごみＡを掻き出しながら、回転下降し、蓋２は回転上昇して、該蓋２は大きく開口し、ごみＡは容易に容器本体１から排出できるために、作業も早く、軽量で作業による衝撃も小さく、該容器本体１やフォークリフトＸの損傷も無く安価で優れた効果を奏する。【００１４】  さらに、ごみＡを受け入れ容器Ｙに排出投入後、蓋を閉塞するには、運搬用車両Ｘによる、容器本体１を下降させることにより、該容器本体１前部に取り付けられた蓋軸受台１ｃに、蓋軸２ｂは、回転可能に軸支され、該蓋軸２ｂに取り付けられた蓋２と蓋バランスウェート２ａ、さらに、リンクアーム４ａが取り付けられ、リンクアーム４ａとリンクステアリングバー４は、連結軸３ｄに連動可能軸支され、さらに、先端にキャスター（４ｃ）を有するリンクステアリングバー４も容器本体１と共に下降させることにより、キャスター４ｃが接地面１に接地し、更に下降すると、先端にキャスター４ｃを有するリンクステアリングバー４とリンクアーム４ａ連動して、蓋２は閉まり、フックレバー３のフック係部３ａに、該蓋２の下部に取り付けられたフック掛軸２ｄ部のローラー２ｅはフック係部３ａに係止され、容器本体１も着地して、蓋２は閉塞し、蓋バランスウェート２ａも、元の位置に復帰することができるため、操作が簡単で、すぐれた効果を奏する。
【図面の簡単な説明】
【００１５】
【図１】この発明の一実施例を示す側面図である、
【図２】この発明の一実施例を示す正面図である。
【図３】この発明  の使用状態を示す説明側面図である。
【図４】この発明の使用状態を示す説明側面図である。
【図５】この発明の使用状態を示す説明側面図である。
【図６】この発明の使用状態を示す説明側面図である。
【図７】この発明の使用状態を示す説明側面図である。
【図７】この発明のさらに他の実施例を示す一部欠截側面図である。
【図８】この発明のさらに他の実施例を示す一部欠截側面図である。
【図９】この発明のさりに他の実施例を示す一部欠截側面図である。
【図１０】この発明のさらに他の実施例を示す一部欠截側面図である。
【図１１】この発明のさらに他の実施例を示す一部欠截側面図である。
【図１２】この発明のさらに他の実施例を示す一部欠截側面図である。
【発明を実施するための状態】
【００１６】  以下、この発明の好適な実施の形態として詳細に説明すると。尚、この発明においては、以下の記述に限定されるものではなく、この発明の要旨を逸脱しない範囲においては適宜変更可能である。
【実施例】
【００１７】  次に、この発明の一実施例を図１〜図６に基づいて詳述すると、昇降機能を有する運搬用車両Ｘに搭載する、ごみＡ回収用の容器本体１であって、有底で上部を開放し、前面に蓋部２を有する容器本体１を設け、該容器本体１の容器底部１ｉの下部には、運搬用車両Ｘに搭載する搭載用ボックス１ｄと前上部に蓋軸受台１ｃを取り付けれ、該蓋軸受台１ｃには、蓋軸２ｂが回転可能に軸着され、該蓋軸２ｂには、蓋２と蓋バランスウェート２ａと、さらに、リンクアーム４ａが接合された、該蓋バランスウェート２ａは、大きく適度に開口する重さの蓋部バランスウェート２ａを取付け、また、ごみＡの回収時には容器本体１は着地された状態で、フックレバー３のフック係部３ａで蓋２の下部ローラー２ｅを係止して、閉塞しておき、４図ごみ（Ａ）の開放時には、４図フックレバー３のフックエンド３ｂの後部付近をロープ６等で下方向へ押し圧操作より、蓋２の下部に取付けられた、フック掛軸２ｄのベアリング等のローラー２ｅはフック係部３ａから開放されて、蓋バランスウエイト２ａとリンク機構部等の重さで下降し、蓋バランスウェート２ａと蓋２等は蓋軸２ｂを軸芯として、回転して、該蓋２は大きく開口し、ごみＡは受け入れ容器Ｙに排出投下され、また、ごみＡの排出投下後は、容器本体１を下降することにより、５図キャスター４ｃが地面に当接し、さらに下降することにより、キャスター４ｃ・リンクステアリングバー４・リンクアーム４ａを介して連動して、蓋２は、蓋軸２ｂを軸芯として、回転し、該蓋２の下部に位置する、フック掛軸２ｄ部のローラー２ｅはフックレバー３先端のフック係部３ａに係止されて蓋２は閉塞し、図６容器本体１も着地する、開閉機構を特徴とする昇降機付き車両搭載用の容器における蓋の開閉構造示す実施例を示すものである。【００１８】  また、（図２，７図）フックレバー３は、全体の形状が「へ」字状であり、前容器本体１に、フックレバー３の中央下部付近に固着された、フック部軸固定受台１ｅへ取り付けられ、フック部軸１ｆに、両サイドのフックレバー３と連結軸３ｄは連結され、該フック部軸１ｆを軸芯とし、リンクアーム４ａとフックレバー３は回動自在にし、また、フックレバー３の先端には、フック係部３ａを設け、フックレバー３の後部にはグリップエンド３ｂを形成したものである、そして、フックレバー３のグリップエンド３ｂ付近に巻回するロープ６または、先端を曲げられた該棒材６ａ等でグリップエンド３ｂ付近を下方行に押圧する、ことにより蓋２下部に取り付けられた、ローラー２ｅをフックレバー３のフック部から開放し、蓋２は大きく開口し、ごみを投下排出する実施例を示すものである【００１９】    ７図は、蓋２に蓋のバランスウェート２ａを取り付、蓋  軸２ｂを軸芯として、該蓋のバランスウウェート２ａと蓋２の重さでバランスの取れた、蓋２の開放状態を示す、開口方法の実施例を示すものである。【００２０】    ８図〜９図は、引張りバネ５をリンクアーム４ａと容器本体１に取り付け
けられたバネ受台１ｈ間に設け、該蓋軸１ｂは蓋軸受台１ｃに回転可能に軸軸着されて、リンクアーム４ａは蓋２に取付けられ、引張りバネ５で開く、引っ張り強さでバランスの取れ、開口した状態の蓋２の開口方法を示す実施例を示すものである。【００２１】    １０図〜１２図は、実施例を示す開口方法を説明すると、フックレバー３下方にフック部ウェート３ｃ設けて、該フック部ウェート３ｃの重さでフックレバー３の傾きを維持し、運搬用車両Ｘで、容器本体１を傾けることにより、フックレバー３のフック係部３ｂから、蓋２の下部のフック掛軸２ｄ部のベアリング等のローラー２ｅから外れて、蓋２は開口し、ごみＡを容器本体１から排出する、蓋２の開口方法示す実施例を示すものである。【００２２】  そして容器本体１の側面や後部と蓋部２に、例えば、格子状の枠材で形成し、この枠材にエキスバンドメタルや金網状の素材を溶着したものを用いれば、容器本体１内に積載されたごみＡの積載状態がよく外部から確認できる。【００２３】この発明によると、昇降機能付き車両搭載用の容器における蓋の開閉構造の技術を確立しこれに基づいて大量に製造・販売することにより産業上の利用可能性がある。
【符号の説明】
【００２４】１    容器本体
１ａ  接地面
１ｂ  上部前カバー
１ｃ  蓋軸受台
１ｄ  搭載用ボックス
１ｅ  フック部軸固定台
１ｆ  フック部軸
１ｇ  フックストッパー
１ｈ  バネ受台
１ｉ  容器底部
２    蓋
２ａ  蓋バランスウェート
２ｂ  蓋軸
２ｃ  フック軸台
２ｄ  フック掛軸
２ｅ  ローラー
３    フックレバー
３ａ  フック係り部
３ｂ  グリップエンド
３ｃ  フック部ウェート
３ｄ  連結軸
４    リンクステアリングバー
４ａ  リンクアーム
４ｂ  リンク軸
４ｃ  キャスター
５    引張りバネ
６    ロープ
６ａ  引掛棒
Ａ    ごみ
Ｙ    受け入れ容器
Ｘ    運搬用車両
【図１】
2017100877.tif 000003
【図２】
2017100877.tif 000004
【図３】
2017100877.tif 000005
【図４】
2017100877.tif 000006
【図５】
2017100877.tif 000007
【図６】
2017100877.tif 000008
【図７】
2017100877.tif 000009
【図８】
2017100877.tif 000010
【図９】
2017100877.tif 000011
【図１０】
2017100877.tif 000012
【図１１】
2017100877.tif 000013
【図１２】
2017100877.tif 000014
【手続補正書】
【提出日】平成28年1月22日(2016.1.22)
【手続補正１】
【補正対象書類名】明細書
【補正対象項目名】００１５
【補正方法】変更
【補正の内容】
【００１５】
【図１】この発明の一実施例を示す側面図である、
【図２】この発明の一実施例を示す正面図である。
【図３】この発明  の使用状態を示す説明側面図である。
【図４】この発明の使用状態を示す説明側面図である。
【図５】この発明の使用状態を示す説明側面図である。
【図６】この発明の使用状態を示す説明側面図である。
【図７】この発明のさらに他の実施例を示す一部欠截側面図である。
【図８】この発明のさらに他の実施例を示す一部欠截側面図である。
【図９】この発明のさりに他の実施例を示す一部欠截側面図である。
【図１０】この発明のさらに他の実施例を示す一部欠截側面図である。
【図１１】この発明のさらに他の実施例を示す一部欠截側面図である。
【図１２】この発明のさらに他の実施例を示す一部欠截側面図である。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
昇降機能を有する運搬用車両（Ｘ）に搭載する、ごみ（Ａ）回収用の容器本体（１）であって、容器有底で上部を開放し、前面に蓋（２）を有する容器本体（１）を設け、該容器本体（１）は下部に運搬用車両（Ｘ）搭載用ボックス（１ｄ）を備え、該容器本体（１）の容器底部（１ｉ）には、後部より前部に位置する該蓋（２）の方向に向かって下降する傾斜面に形成し、該蓋（２）と蓋バランスウェート（２ａ）は蓋軸（２ｂ）に接合して、蓋軸受台（１ｃ）に回転可能に軸着し、さらに、該蓋バランスウエイト（２ａ）は該容器本体（１）内の内側の両側面に設けられてあり、ごみ（Ａ）の回収時には、前記蓋（２）は該容器本体（１）にフックレバー（３）のフック係部（３ａ）により、該蓋（２）下部のローラー（２ｅ）を係止して、閉塞しておき、ごみ（Ａ）の開放時には、前記フックレバー（３）後部のグリップエンド（３ｂ）付近をロープ（６）で下方向へ引き、該フック係部（３ａ）から、フック掛軸部（２ｄ）の該ローラー（２ｅ）を係止した状態から開放することによって、該蓋軸（２ｂ）を軸芯として、該蓋（２）が開き、ごみ（Ａ）を車両の荷台、あるいは、受け入れ容器（Ｙ）に排出する、また、ごみ（Ａ）の排出後は、該蓋（２）を前方から後部方向に押し圧することにより、該フック掛軸（２ｄ）部の該ローラー（２ｅ）は該フックレバー（３）の該フック係部（３ａ）に係止されて、閉塞することを特徴とする、昇降機能付き車両搭載用の容器における蓋の開閉構造。
【請求項２】
昇降機能を有する運搬用車両（Ｘ）に搭載する、ごみ（Ａ）回収用の前記容器本体（１）であって、有底で上部を開放し、前面に蓋部（２）を有する該容器本体（１）を設け、該容器本体（１）の下部に運搬用車両（Ｘ）搭載用ボックス（１ｄ）を設け、該容器本体（１）の該容器底部（１ｉ）には、後部より前部に位置する蓋部（２）方向に向かって下降する傾斜面に形成し、さらに、該容器本体（１）の前面の両側部に取り付けられた該蓋軸受台（１ｃ）へ回転可能に該蓋軸（２ｂ）を取付け、該蓋軸（２ｂ）には該蓋（２）と後方に該蓋バランスウェート（２ａ）と、リンクアーム（４ａ）、さらに、リンク軸（４ｂ）で連結された、先端にキャスター（４ｃ）を有するリンクステアリングバー（４）が、それぞれ、可動可能に軸支されて、ごみ（Ａ）の回収時には、前記、蓋（２）は該容器本体（１）に該フックレバー（３）の該フック係部（３ａ）により、該蓋（２）下部の該ローラー（２ｅ）を係止して、閉塞しておき、ごみ（Ａ）の開放時には、前記フックレバー（３）の該グリップエンド（３ｂ）付近をロープ（６）で下方へ引き、該フックレバー（３）の該フック係部（３ａ）から該フック掛軸（２ｄ）部の該ローラー（２ｅ）を開放することにより、該蓋（２）を開口して、ごみ（Ａ）を車両の荷台あるいは受け入れ容器（Ｙ）に排出する、ごみ（Ａ）の排出後は、該容器本体（１）を下降することにより、キャスター（４ｃ）が地面に当接し、さらに下降することにより、先端に該キャスター（４ｃ）を有する該リンクステアリングバー（４）と該リンクアーム（４ａ）が連動し、該蓋（２）は、該蓋軸（２ｂ）を軸心として回転し、該蓋（２）は閉まり、該容器本体（１）も着地し、該フック掛軸（２ｄ）部の該ローラー（２ｅ）は、該フックレバー（３）のフック係部（３ａ）に係止されて、閉塞することを特徴とする、請求項１に記載の昇降機能付き車両搭載用の容器における蓋の開閉構造。
【請求項３】
該フックレバー（３）下方にフック部ウェート（３ｃ）を設けたことを特徴とする、請求項１又は請求項２に記載の昇降機能付き車両搭載用の容器における蓋の開閉構造。
【請求項４】
前記容器本体（１）の前部に位置する蓋軸受台（１ｃ）に回転可能な蓋軸（２ｂ）に蓋（２）と、蓋バランスウェート（２ａ）を取り付けられた容器本体（１）で、蓋バランスウェート（２ａ）は容器本体（１）の内側、あるいは、外側に取り付けた、蓋バランスウエイト（２ａ）の重量によるバランスで、フックレバー（３）のフック係部（３ａ）からフック掛軸（２ｄ）部のローラー（２ｅ）を開放することによって、蓋（２）を開口することを特徴とする、請求項１〜請求項３のいずれか１項に記載の昇降機能付き車両搭載構造の容器における蓋の開閉構造。
【請求項５】
前記容器本体（１）の前部に有する該蓋軸受台（１ｃ）に回転可能な該蓋軸（２ｂ）に取り付けた該リンクアーム（４ａ）の先端と該容器本体（１）に取り付けたバネ受台（１ｈ）間に引っ張りバネ（５）を取り付けた、該引っ張りバネ（５）による、該蓋（２）を開口することを特徴とする、請求項２に記載の昇降機能付き車両搭載構造の容器における蓋の開閉構造。